(57)【要約】【課題】遊技場と併設店の顧客の双方に利益を与えるとともに、複合店としたことの利点を十分に活用して併設店側の顧客からの遊技場の新規顧客を開拓し得るポイントカード装置を提供する。【解決手段】景品顧客管理端末機６００は、コンビニエンスストア２０での商品購入額に応じてその顧客の商店得点を累積加算し、遊技媒体貸出装置２００からパチンコ玉を有料で貸し出したときその額に応じてその顧客の遊技場得点を累積加算する。遊技媒体貸出装置２００は商店得点が一定以上のときパチンコ玉を払い出すことで商店得点を利益に還元する。ＰＯＳ装置３００は遊技場得点が一定以上のとき、遊技場得点に代えて所定の率で商品購入額を割引することで顧客に得点の利益を還元する。またＰＯＳ装置３００は、商店得点と遊技場得点の合計に応じて適当な景品を顧客に提供する。【選択図】図１
2010118073.tif 000002
【特許請求の範囲】
【請求項１】
顧客を特定するためのポイントカードを各顧客に配布し、前記ポイントカードを併用して行われた取引の内容に応じた得点を併用されたポイントカードに対応付けて加算し、累積している得点の値に応じて所定のサービスを顧客に提供するポイントカード装置において、
遊技場に設置される遊技場用端末と、商品を販売する商店であって前記遊技場に併設されるものに配置される商店用端末と、累積されている前記得点に応じて所定のサービスを顧客に提供するサービス提供手段とを備え、
前記遊技場用端末は、前記ポイントカードを併用して遊技に供される遊技媒体の貸し出しが行われた際にその貸出金額に応じた遊技場得点を併用されたポイントカードに対応付けて累積加算し、
前記商店用端末は、前記ポイントカードを併用して商品の購入が行われた際にその購入額に応じた商店得点を併用されたポイントカードに対応付けて累積加算し、
前記サービス提供手段は、前記商店で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段は、前記遊技場で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引き、
前記サービス提供手段は、指定されたポイントカードに対応付けて累積加算されている前記遊技場得点と前記商店得点との合計が予め定めた条件を満たすとき、予め定めたサービスを提供するとともに、所定の点数を前記遊技場得点と前記商店得点のいずれか一方あるいは双方から差し引き、
前記商店と前記遊技場との境界部にカウンターを設け、当該カウンターに、前記商店で商品の購入が行われた際に受け取る現金を投入する現金投入機を設置したことを特徴とするポイントカード装置。
【請求項２】
顧客に配られた前記ポイントカードのそれぞれについて前記得点を記憶し管理する顧客管理装置を設けたことを特徴とする請求項１記載のポイントカード装置。
【請求項３】
前記各ポイントカードにはそれぞれ固有の識別番号が記録されており、前記顧客管理装置は、前記識別番号に対応付けて前記得点を記録し管理することを特徴とする請求項２記載のポイントカード装置。
【請求項４】
前記顧客管理装置は、前記商店得点と前記遊技場得点とを個別に記録して管理するとともに、各得点を視認可能に出力する機能を有することを特徴とする請求項３記載のポイントカード装置。
【請求項５】
前記カウンターに、前記商店用端末および前記サービス提供手段の機能を果たすＰＯＳ装置を配置し、前記商店に陳列されている商品を前記遊技場で遊技を行う遊技者の獲得した遊技媒体と交換される景品として設定したことを特徴とする請求項１、２、３または４記載のポイントカード装置。
【請求項６】
前記遊技場で使用される遊技媒体を貸し出す遊技媒体貸出機に前記ポイントカードの読取部を設け、当該遊技媒体貸出機に前記遊技場用端末の機能と前記サービス提供手段の有する機能のうち得点に応じて遊技媒体を放出しその分得点を減算する機能とを具備させたことを特徴とする請求項１、２、３、４または５記載のポイントカード装置。
【発明の詳細な説明】
【技術分野】
【０００１】
本発明は、顧客を特定するためのポイントカードを各顧客に配布し、前記ポイントカードを併用して行われた取引の内容に応じた得点を併用されたポイントカードに対応付けて加算し、累積している得点に応じて所定のサービスを顧客に提供するポイントカード装置に関する。
【背景技術】
【０００２】
従来のポイントカード装置としては、例えば特開平９−１９８５５２号公報に開示されているように、顧客を特定するためのポイントカードを遊技場に来場する各顧客に配布し、遊技機で遊技を行う際にポイントカードを挿入させ、各遊技者の行った遊技内容が予め定められた条件を満たしたとき、その顧客に対して所定のポイントを付与し登録するものがある。この装置では、ポイントカードに対応して登録されているポイントが所定条件を満たすことにより顧客に対して履歴情報公開や景品付与等のサービスを提供するようになっている。
【０００３】
また、遊技場と飲食店等とを併設した複合店では、遊技場で付与されたポイントを使用して、飲食店などの併設店にてサービスを受けるように構成されているものがある。
【先行技術文献】
【特許文献】
【０００４】
【特許文献１】特開平９−１９８５５２号公報
【発明の概要】
【発明が解決しようとする課題】
【０００５】
しかしながら、特開平９−１９８５５２号公報に開示されているものでは、遊技場で遊技を行った場合にだけポイントが付与されるので、遊技場に良く来る固定客はその利益を享受できるが、遊技をあまり行わない人を新規な顧客にするほどの集客力は得られず、遊技場の利益向上に貢献するまでには至っていなかった。
【０００６】
また、複合店の場合、遊技場で遊技を行う顧客にとっては併設店で買い物ができる等の利点が生じていたが、併設店で買い物はするが遊技は行わないという顧客にとっては複合店であることの利点がなかった。このため複合店の形態をとっても遊技場の売上向上のみにしかつながらず、複合店であることが十分に活用されていなかった。
【０００７】
本発明は、このような従来の技術が有する問題点に着目してなされたもので、遊技場と併設店の顧客の双方に利益を与えるとともに、複合店としたことの利点を十分に活用して併設店側の顧客からの遊技場の新規顧客を開拓し得るポイントカード装置を提供することを目的としている。
【課題を解決するための手段】
【０００８】
かかる目的を達成するための本発明の要旨とするところは、次の各項の発明に存する。
［１］顧客を特定するためのポイントカードを各顧客に配布し、前記ポイントカードを併用して行われた取引の内容に応じた得点を併用されたポイントカードに対応付けて加算し、累積している得点の値に応じて所定のサービスを顧客に提供するポイントカード装置において、
遊技場（１０）に設置される遊技場用端末（２００、６００）と、商品を販売する商店（２０）であって前記遊技場（１０）に併設されるものに配置される商店用端末（３００、６００）と、累積されている前記得点に応じて所定のサービスを顧客に提供するサービス提供手段（２００、３００）とを備え、
前記遊技場用端末（２００、６００）は、前記ポイントカードを併用して遊技に供される遊技媒体の貸し出しが行われた際にその貸出金額に応じた遊技場得点を併用されたポイントカードに対応付けて累積加算し、
前記商店用端末（３００、６００）は、前記ポイントカードを併用して商品の購入が行われた際にその購入額に応じた商店得点を併用されたポイントカードに対応付けて累積加算し、
前記サービス提供手段（２００、３００）は、前記商店（２０）で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段（２００、３００）は、前記遊技場（１０）で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引き、
前記サービス提供手段（２００、３００）は、指定されたポイントカードに対応付けて累積加算されている前記遊技場得点と前記商店得点との合計が予め定めた条件を満たすとき、予め定めたサービスを提供するとともに、所定の点数を前記遊技場得点と前記商店得点のいずれか一方あるいは双方から差し引き、
前記商店（２０）と前記遊技場（１０）との境界部にカウンター（３０）を設け、当該カウンター（３０）に、前記商店（２０）で商品の購入が行われた際に受け取る現金を投入する現金投入機（４１８）を設置したことを特徴とするポイントカード装置。
【０００９】
［２］顧客に配られた前記ポイントカードのそれぞれについて前記得点を記憶し管理する顧客管理装置（６００）を設けたことを特徴とする［１］記載のポイントカード装置。
【００１０】
［３］前記各ポイントカードにはそれぞれ固有の識別番号が記録されており、前記顧客管理装置（６００）は、前記識別番号に対応付けて前記得点を記録し管理することを特徴とする［２］記載のポイントカード装置。
【００１１】
［４］前記顧客管理装置（６００）は、前記商店得点と前記遊技場得点とを個別に記録して管理するとともに、各得点を視認可能に出力する機能を有することを特徴とする［３］記載のポイントカード装置。
【００１２】
［５］前記カウンター（３０）に、前記商店用端末（３００、６００）および前記サービス提供手段（２００、３００）の機能を果たすＰＯＳ装置（３００）を配置し、前記商店（２０）に陳列されている商品を前記遊技場（１０）で遊技を行う遊技者の獲得した遊技媒体と交換される景品として設定したことを特徴とする［１］、［２］、［３］または［４］記載のポイントカード装置。
【００１３】
［６］前記遊技場（１０）で使用される遊技媒体を貸し出す遊技媒体貸出機（２００）に前記ポイントカードの読取部（２０９、２１３）を設け、当該遊技媒体貸出機（２００）に前記遊技場用端末（２００、６００）の機能と前記サービス提供手段（２００、３００）の有する機能のうち得点に応じて遊技媒体を放出しその分得点を減算する機能とを具備させたことを特徴とする［１］、［２］、［３］、［４］または［５］記載のポイントカード装置。
【００１４】
前記本発明は次のように作用する。  
遊技場用端末（２００、６００）は、ポイントカードを併用して遊技に供される遊技媒体の貸し出しが行われた際にその貸出金額に応じた得点を、併用されたポイントカードに対応付けて累積加算する。商店用端末（３００、６００）は、ポイントカードを併用して商品の購入が行われた際にその購入額に応じた得点を、併用されたポイントカードに対応付けて累積加算する。たとえばポイントカード自体に磁気などによる記録領域を設け、当該箇所に得点を累積加算して登録する。
【００１５】
サービス提供手段（２００、３００）は、指定されたポイントカードに対応付けて累積加算されている得点を所定のサービスに還元する旨の指示を受けたとき、当該ポイントカードで特定される顧客に対してそのサービスを提供するとともに、提供したサービスに応じた点数をポイントカードに対応付けて累積加算されている得点から差し引く。
【００１６】
このように遊技場（１０）で遊技を行った場合と併設された商店（２０）で商品を購入した場合のいずれにおいても得点が付与されて累積加算されるので、遊技場（１０）と商店（２０）の双方の顧客にポイント制度よる利益を与えることができる。
【００１７】
さらに、前記商店（２０）と前記遊技場（１０）との境界部にカウンター（３０）を設け、当該カウンター（３０）に現金投入機（４１８）を設置し、この現金投入機（４１８）に、前記商店（２０）で顧客により商品の購入が行われた際に、顧客から受け取る現金を投入することにより、従業員等による不正を未然に防ぐことが可能になると共に、前記商店（２０）での売り上げを正確に管理することができるようになる。
【００１８】
また、遊技場（１０）で遊技媒体の貸し出しを受けた場合の得点を遊技場得点とし、併設された商店（２０）で商品を購入した際の得点を商店得点として、それぞれ個別に累積加算する。サービス提供手段（２００、３００）は、商店（２０）で商品を購入する際に併用されたポイントカードに対応する遊技場得点が予め定められた条件を満たすとき（たとえば一定値以上のとき）、購入商品の金額を所定の率で割り引きし、累積加算されている遊技場得点から予め定めた点数を差し引く。
【００１９】
一方、遊技場（１０）で遊技媒体の貸し出しを受ける際に併用されたポイントカードに対応する商店得点が予め定められた条件を満たすとき、所定数の遊技媒体を放出するとともに、併用されたポイントカードに対応付けて累積加算されている商店得点を予め定めた点数だけ差し引く。
【００２０】
このように遊技場（１０）で遊技媒体の貸し出しを受けることで付与された遊技場得点を、併設されている商店（２０）で商品を購入する際に利用でき、また、商店（２０）で商品を購入した際に付与された商店得点を遊技場（１０）で遊技をする際に利用できる。その結果、商店（２０）に買い物に来た顧客は遊技を行いやすくなり、遊技場（１０）に遊技をしに来た顧客は商店（２０）で買い物を行いやすくなり、商店（２０）と遊技場（１０）の双方の売上げ向上に貢献することができる。また、各顧客は遊技場（１０）と併設された商店（２０）の双方を利用するようになるので、商店（２０）の顧客から新規な遊技客を開拓することができる。
【００２１】
さらに、サービス提供手段（２００、３００）は、指定されたポイントカードに対応付けて累積加算されている遊技場得点と商店得点との合計が予め定めた条件を満たすとき、予め定めたサービスを提供するとともに、所定の点数を遊技場得点と商店得点のいずれか一方あるいは双方から差し引く。
【００２２】
これにより、各顧客の遊技場（１０）の利用頻度と商店（２０）の利用頻度に差がある場合であっても、合計の得点に基づいてサービスを受けることができるので、遊技を行わない顧客にもポイント制度の利益を与えることができ、顧客の利用状況に多様に対応することができる。
【００２３】
また、得点を、ポイントカードの有する記録媒体に記録することで、顧客ごとの得点の管理を容易に行うことができる。一方、顧客に配られたポイントカードごとの得点をまとめて記憶し管理する顧客管理装置（６００）を設けたものでは、各顧客の利用状況を一括して管理できるので、遊技場（１０）と商店（２０）との営業状態を総合的に把握して的確な経営管理を容易に行うことができるとともに、各顧客によって得点データが改竄されるような事態を防ぐことができる。
【００２４】
各ポイントカードにはそれぞれ固有の識別番号が記録されており、顧客管理装置（６００）は、この識別番号に対応付けて得点を記録し管理する。これによりポイントカード側の記録媒体を書き換え可能なものにする必要がなく、カードの価格を低く抑えることができる。また、識別番号に基づいて管理するので、顧客管理装置（６００）側の処理内容の簡略化を図ることができる。
【００２５】
さらに、顧客管理装置（６００）は、商店得点と遊技場得点とを個別に記録して管理するとともに、各得点を視認可能に出力する。これにより、遊技場（１０）の経営者は、一目で各顧客における遊技場（１０）と商店（２０）の利用状況を把握でき、商店（２０）と遊技場（１０）の営業方針を決める手助けとして有効に活用することができる。また、各顧客ごとに遊技場（１０）と商店（２０）の利用状況を個別に把握できるので、それぞれの顧客の特性に応じたきめの細かいサービスを展開することも可能になる。
【００２６】
商店（２０）と遊技場（１０）との境界部に設けたカウンター（３０）に、商店用端末（３００、６００）およびサービス提供手段（２００、３００）の機能を果たすＰＯＳ装置（３００）を配置し、商店（２０）に陳列されている商品を遊技場（１０）で遊技を行う遊技者の獲得した遊技媒体と交換される景品としたものでは、景品倉庫を別途設ける必要が無くなるなど、複合店としての利点をより一層有効活用することができる。
【００２７】
遊技場（１０）で使用される遊技媒体を貸し出す遊技媒体貸出機（２００）にポイントカードの読取部（２０９、２１３）を設け、当該遊技媒体貸出機（２００）に遊技場用端末（２００、６００）の機能を具備させる。たとえば、各遊技機（１００）の隣にそれぞれ遊技媒体貸出機（２００）を設置すれば、ポイントカードを併用した遊技媒体の貸し出しが行われやすくなり、遊技者によるポイントカードの利用を促進することができる。
【発明の効果】
【００２８】
本発明にかかるポイントカード装置によれば、遊技場で遊技を行った場合と併設された商店で商品を購入した場合のいずれにおいても得点が付与され累積加算されるので、遊技場と商店の双方の顧客にポイントカードによる利益を与えることができる。
【００２９】
また、商店と遊技場との境界部にカウンターを設け、当該カウンターに、現金投入機を設置し、この現金投入機に、前記商店で顧客により商品の購入が行われた際に、顧客から受け取る現金を投入することにより、従業員等による不正を未然に防ぐことが可能になると共に、前記商店での売り上げを正確に管理することができるようになる。
【００３０】
また、遊技場で遊技媒体の貸し出しを受けた場合の得点を遊技場得点とし、併設された商店で商品の購入が行われた際の得点を商店得点として、それぞれ個別に得点を管理するようにしたので、複合店の経営者は、遊技場と商店との利用状況をそれぞれ個別に把握でき、複合店としての営業方針を決める手助けとして有効利用することができる。
【００３１】
また、遊技場得点を、併設された商店で商品を購入する際に利用でき、また商店で商品を購入した際に付与された商店得点を利用して遊技場で遊技媒体の貸し出しを受けることができ、さらに合計の得点に応じて景品など適当なサービスの提供を受けることができるので、ポイント制度を商店と遊技場の双方の売上げ向上に役立てることができる。また、各顧客は、商店と遊技場の双方を利用するようになるので、商店の顧客から新規に遊技客を開拓することもできる。
【図面の簡単な説明】
【００３２】
【図１】本発明の一実施の形態に係るポイントカード装置を適用した複合店管理システムを示す説明図である。
【図２】本発明の一実施の形態に係るポイントカード装置を適用した複合店を示す斜視図である。
【図３】本発明の一実施の形態に係るポイントカード装置を構成するＰＯＳ装置を示す説明図である。
【図４】本発明の一実施の形態に係るポイントカード装置を構成するポイント端末機を示す説明図である。
【図５】ＰＯＳ装置本体部、貯玉カードリーダー、ポイント端末機の回路構成の概要およびそれらの接続関係を示すブロック図である。
【図６】本発明の一実施の形態に係るポイントカード装置に適用した遊技媒体貸出装置および遊技媒体計数器を示す斜視図である。
【図７】本発明の一実施の形態に係るポイントカード装置に適用した遊技媒体貸出装置および遊技媒体計数器の回路構成を示すブロック図である。
【図８】本発明の一実施の形態に係るポイントカード装置を構成する情報表示端末機を示す斜視図である。
【図９】本発明の一実施の形態に係るポイントカード装置を構成する情報表示端末機の回路構成を示すブロック図である。
【図１０】情報表示端末機の表示部に表示されるポイント確認画面を示す説明図である。
【図１１】情報表示端末機の表示部に表示されるポイントサービス確認画面を示す説明図である。
【図１２】本発明の一実施の形態に係るポイントカード装置を構成する景品管理端末機を示す斜視図である。
【図１３】本発明の一実施の形態に係るポイントカード装置を構成する景品管理端末機の回路構成を示すブロック図である。
【図１４】本発明の一実施の形態に係るポイントカード装置を構成する景品顧客管理端末機を示す斜視図である。
【図１５】本発明の一実施の形態に係るポイントカード装置を構成する景品顧客管理端末機の回路構成を示すブロック図である。
【図１６】景品顧客管理端末機の有する表示部上に表示される顧客情報表示画面を示す説明図である。
【図１７】遊技場でコンビニポイントを使用する際と遊技場ポイントを付与する際における処理の流れを示す流れ図である。
【図１８】コンビニエンスストアで遊技場ポイントを使用する際とコンビニポイントを付与する際における処理の流れを示す流れ図である。
【図１９】コンビニポイント数と遊技場ポイント数を合算させることにより、所定金額の景品の贈呈を受けるサービスについての処理の流れを示す流れ図である。
【発明を実施するための形態】
【００３３】
以下、図面に基づき本発明の一実施の形態を説明する。  
各図は、本発明の一実施の形態を示している。  
図２は、本発明の一実施の形態にかかるポイントカード装置４０を適用した複合店を示している。この複合店は、遊技場（パチンコホール）１０にコンビニエンスストア（商店）２０を併設した形態を成しており、遊技場１０とコンビニエンスストア２０との間に共通部分としての景品交換所３０（カウンター）が設置されている。
【００３４】
遊技場１０内には、遊技機としての多数のパチンコ機１００と遊技媒体貸出装置２００とを並設した複数の遊技機島１１が配列されている。
【００３５】
また、コンビニエンスストア２０には、多数の商品を陳列した陳列棚２１が配列されている。各陳列棚２１の上部には、宣伝広告や各種の情報を顧客に向けて表示するための陳列棚表示部２２が設けられている。遊技場１０とコンビニエンスストア２０との間に設けられた景品交換所３０は、遊技場１０側及びコンビニエンスストア２０側の顧客の双方に対応することができるように構成され、景品交換所３０には、この図では示していないＰＯＳ装置３００、ホール管理端末機４１０等が設置されている。
【００３６】
図１は、図２に示した複合店に設置された複合店管理システムであって、本発明にかかるポイントカード装置４０を適用したものの構成を示したものである。遊技場１０と商店としてのコンビニエンスストア２０とこれらの境界部に設けられた景品交換所３０のそれぞれに配置された各種の装置は、共通の通信ネットワーク４００に接続されている。なお、ここでは、ＬＡＮ（ローカル・エリア・ネットワーク）およびＬＯＮ（Ｌｏｃａｌ  Ｏｐｅｒａｔｉｎｇ  Ｎｅｔｗｏｒｋ：エシャロン社登録商標）の技術を適用して複合店管理システムを構築している。
【００３７】
各遊技機島１１には、それぞれ中継器としての台コントローラ４１２を設置してあり、ＬＯＮチップを用いた各遊技機島１１を介してその配下にあるパチンコ機１００、遊技媒体貸出装置２００等の検知、監視、制御を行うようになっている。また、遊技媒体貸出装置２００には更に遊技媒体計数器２５０が接続されている。
【００３８】
各遊技機島１１は、ゲートウェイを兼ねた島コントローラ４１４に接続されている。島コントローラ４１４は各遊技機島１１の設備機器であるパチンコ機１００、遊技媒体貸出装置２００等からの各データを一時集積して記憶する機能を有している。島コントローラ４１４は通信ネットワーク４００としてのＬＡＮと接続され、通信ネットワーク４００には、ホール管理端末機４１０、ホール管理コンピュータ４２０、景品管理端末機５００、ＰＯＳ装置３００、景品顧客管理端末機６００、情報表示端末機７００等がそれぞれ接続されている。これらの装置には、ディスプレイ、プリンタ、モデム、音声出力装置等が更に接続されている。
【００３９】
コンビニエンスストア２０においても島コントローラ４１４と同様のゲートウェイ装置４１６が配置され、当該ゲートウェイ装置４１６の配下に端末コントローラ４１７を介して現金投入機４１８が接続されている。
【００４０】
図３は、ＰＯＳ装置３００を示している。ＰＯＳ装置３００は、表示部３１１および操作部３１２を備えたＰＯＳ装置本体部３１０と、コンビニエンスストア２０で客が選択した商品に付されている商品データ及び遊技場１０で獲得した遊技媒体数が記録されているレシートを読取るスキャナー３３０とから構成されている。またＰＯＳ装置本体部３１０には、所定のＩ／Ｆ（インターフェイス）を介して貯玉カードリーダー３４０が接続されている。貯玉カードリーダー３４０は、顧客が獲得した遊技媒体（以下パチンコ玉と称す。）に関する情報等を認識するための貯玉カードを挿入し排出するための貯玉カード挿排口３４１を有している。
【００４１】
図４は、コンビニエンスストア２０で商品を購入する際のポイントを付加するためのポイント端末機３６０を示している。ポイント端末機３６０は、ＰＯＳ装置３００と所定のＩ／Ｆを介して接続されている。ポイント端末機３６０は、ポイントカードを挿入及び排出するためのカード挿排口３６１、各種のデータを表示するための表示部３６２と、操作部３６３とを備えている。
【００４２】
図５は、ＰＯＳ装置本体部３１０、貯玉カードリーダー３４０、ポイント端末機３６０の各回路構成の概要およびそれらの接続関係を示している。ＰＯＳ装置本体部３１０は、スキャナー３３０で読取ったデータを記憶管理する景品交換情報記憶部３１３と、景品交換情報記憶部３１３で記憶している情報を加工演算するＣＰＵ（中央処理装置）３１４と、操作部３１２で加工演算された内容を表示する表示部３１１および操作部３１２とから構成されている。また、表示部３１１はタッチパネル式になっており、これを通じて各種操作を行い得るようになっている。さらに、ＰＯＳ装置本体部３１０には、プリンター３１５が接続されており各種のデータの印刷出力が可能になっている。このほかＰＯＳ装置本体部３１０は他の装置と通信するためのＩ／Ｆ３１６を備えている。
【００４３】
貯玉カードリーダー３４０は、貯玉カード挿排口３４１から挿入された貯玉カードの内容を読取るための貯玉カード読取部３４２を有している。また貯玉カード読取部３４２で読取られた情報を加工演算するＣＰＵ３４３と、ＣＰＵ３４３で加工演算されたデータを表示する表示部３４４と、貯玉カードによる景品交換情報を記憶する貯玉景品交換情報記憶部３４５およびＩ／Ｆ３４６とで構成されている。
【００４４】
ポイント端末機３６０は、ポイントカードを挿入及び排出するカード挿排口３６１、ポイントカード情報を読取るカード読取部３６３ａと、これで読取られた情報を記憶するポイント情報記憶部３６４と、ポイント情報を加工演算するＣＰＵ３６５と、ＣＰＵ３６５で加工演算されたデータを表示する表示部３６２、およびＩ／Ｆ３６６とで構成されている。なお、ＰＯＳ装置３００で操作された情報は景品管理端末機５００及び景品顧客管理端末機６００に送信されるように構成されている。
【００４５】
図６は、遊技媒体貸出装置２００および遊技媒体計数器２５０を示している。遊技媒体貸出装置２００は縦長の薄い箱型形状を成し、パチンコ機１００に併設されるようになっている。遊技媒体貸出装置２００の正面には、その上部から順に、従業員等が操作するリモコンからの無線信号を受信するリモコン受信部２０１、紙幣を投入及び排出する紙幣投排口２０２、硬貨を投入する硬貨投入口２０３、硬貨を返却させる硬貨返却ボタン２０４、各種表示をする表示部２０５、各種操作をする各種操作部２０６、パチンコ玉をパチンコ機の上皿まで放出するノズル２０７、硬貨を返却する硬貨返却口２０８、ポイントカードを挿入及び排出するカード挿排口２０９が配列されている。
【００４６】
また、遊技媒体貸出装置２００の下部には遊技媒体計数器２５０が接続されている。遊技媒体計数器２５０には、顧客が獲得したパチンコ玉を投入するための玉投入口２５１、この玉投入口２５１に投入されたパチンコ玉を計数し、遊技終了時に獲得パチンコ玉としてその個数を記録したレシート（前述したＰＯＳ装置３００で読取られるレシート）を発券するレシート発券手段２５２で構成されている。
【００４７】
表示部２０５には、ポイントカードを挿入した際に、当該カードから認識することができるコンビニポイント数及び遊技場ポイント数等が表示されると共に、遊技媒体計数器２５０で計数された獲得パチンコ玉数等を表示するように構成されている。なお、商店得点としてのコンビニポイントは、コンビニエンスストア２０で商品を購入した際に、その購入額等に応じて付与され累積加算される得点である。また遊技場得点としての遊技場ポイントは、遊技媒体貸出装置２００等でパチンコ玉の貸し出しを受けた際に、その貸出金額に応じて付与されて累積加算される得点である。
【００４８】
リモコン受信部２０１は、従業員からのリモコン操作として、遊技を一旦中断する休憩信号、大当たり遊技時に連続遊技を行うことができるか否かの情報等を受信し、遊技媒体貸出装置２００及び遊技媒体計数器２５０を制御するように構成されている。また、各種操作部２０６は、一旦計数されたパチンコ玉を再度遊技に使用するための戻し玉ボタン、遊技を終了する精算ボタン、貯玉をリプレイするための暗証番号入力部、コンビニポイントを使用してパチンコ玉の貸し出しを受けるための貸出ボタン等で構成されている。
【００４９】
図７は、遊技媒体貸出装置２００および遊技媒体計数器２５０の回路構成を示している。遊技媒体貸出装置２００は、各種機能を統括制御するＣＰＵ２１０を有し、当該ＣＰＵ２１０に各種の回路装置が接続されている。紙幣識別手段２１１は、紙幣投排口２０２から投入された紙幣の真偽およびその額面を判断する回路部分である。硬貨識別手段２１２は、硬貨投入口２０３から投入された硬貨の真偽とその額面を判別し、必要な場合に釣り銭を硬貨返却口２０８から排出する機能を備えている。カード識別手段２１３は、カード挿排口２０９から挿入されたポイントカードに記録されているデータを読取る機能を有している。
【００５０】
玉放出部２１４は、投入された金額等に応じて遊技媒体であるパチンコ玉をノズル２０７から払い出す機能を有し、玉放出制御部２１５は、放出するパチンコ玉の個数等を制御する回路部分である。Ｉ／Ｆ２１６は台コントローラ４１２との間で、またＩ／Ｆ２１７は、遊技媒体計数器２５０との間でそれぞれ各種のデータを入出力するための入出力回路である。
【００５１】
遊技媒体計数器２５０は、レシート発券手段２５２のほか、玉投入口２５１から投入されたパチンコ玉の個数を計数する計数手段２５３と、遊技媒体貸出装置２００との間で各種のデータを入出力するためのＩ／Ｆ２５４とを備えている。
【００５２】
図８は、情報表示端末機７００の外観を示し、図９はその回路構成を示している。情報表示端末機７００は、ポイントカードの挿入及び排出をするためのカード挿排口７０１と、表示部７０４、およびその画面上に配置されたタッチパネルから成る操作部７０５と、音声ガイダンス等を流すためのスピーカ７０６とを備えている。カード挿排口７０１にポイントカードを挿入することにより景品顧客管理端末機６００からの情報をＩ／Ｆ７０２を介して受信し、ＣＰＵ７０３にて加工し、加工後の各種情報を表示部７０４に表示するようになっている。
【００５３】
また、操作部７０５を操作することにより、その他の情報、例えばパチンコ機１００の情報やコンビニエンスストア２０に陳列されている商品情報等を表示するように構成されている。操作履歴記憶部７０７は、操作部７０５を通じて入力された各種操作の履歴情報を記憶する回路部分であり、カード読取部７０８は、カード挿排口７０１から投入されたポイントカードの内容を読み出す回路部分である。
【００５４】
図１０は、情報表示端末機７００の表示部７０４に表示されるポイント確認画面７１０を示している。ポイント確認画面７１０は、挿入されたポイントカードの所有者の有する現在のポイント数とそれによって受け得るサービスの内容を示している。より詳細には、ポイントカードを挿入したポイントカードの所持者のポイント数（コンビニポイント数７１１、遊技場ポイント数７１２、総ポイント数７１３）が表示され、ポイント数に応じて提供可能なサービスの内容がその右横に対応付けて表示される。
【００５５】
ここでは、コンビニポイント数が「２０」の場合には、パチンコ玉５０個又はメダル１０枚が付与されることを、遊技ポイント数が「３」の場合には、提供されるサービスが無いことを、総ポイント数が「２３」の場合には、５００円相当の景品等がサービスされ得ることが示されている。この表示内容を基にして、ポイントカードの所持者は、サービスを受けるか否かを判断することができるようになっている。
【００５６】
図１１は、情報表示端末機７００の表示部７０４に表示されるポイントサービス確認画面７２０を示している。ポイントサービス確認画面７２０は、コンビニポイント数７２１及び遊技場ポイント数７２２、総ポイント数７２３の点数に応じて提供されるサービスの種類を一覧で表示したものである。例えば、コンビニポイント数が３０以上ある場合（７２４）は、パチンコ玉２００個又はメダル４０枚が貸出可能である旨を表示している。また、遊技場ポイント数が１０以上ある場合（７２５）は、コンビニエンスストア２０で商品を購入する際にその価格が３％割り引かれるサービスが提供される旨を表示している。総ポイント数が２０以上の場合（７２６）は、３００円相当の景品が贈呈される旨が表示されている。
【００５７】
利用者は、このポイントサービス確認画面７２０を見ることにより、あと何ポイント貯めればより良いサービスを受けることができるか等を認識することができ、ポイント利用のための戦略を立てることができる。なお、それぞれのポイント数に対するサービスの個数、割引率、値段等はコンビニエンスストア２０及び遊技場１０で任意に設定することが可能に構成されている。
【００５８】
図１２は、景品管理端末機５００の外観を示し、図１３は景品管理端末機５００の回路構成を示している。景品管理端末機５００は、ＰＯＳ装置３００からの景品交換情報を収集し、記憶管理する機能を有するものである。景品管理端末機５００は、本体部５０１と、各種操作を行う操作部５０２と、表示部（ＣＲＴ）５０３とを備えている。また景品管理端末機５００には、表示部５０３に表示されているデータを印刷出力するためのプリンタ５１０が接続されている。
【００５９】
景品管理端末機５００は、ＣＰＵ５０４を中心に構成され、景品交換情報を記録するための景品交換情報記憶部５０５と、Ｉ／Ｆ５０６、５０７とを備えている。景品管理端末機５００は、ＰＯＳ装置３００から景品交換情報をＩ／Ｆ５０６を介して受信し、ＣＰＵ５０４にて加工演算し、景品交換情報記憶部５０５に記憶するようになっている。また、景品交換情報記憶部５０５に記憶されている情報を表示部５０３に表示したり、プリンタ５１０から印刷出力し得るようになっている。
【００６０】
ここでは景品管理端末機５００を、汎用のパーソナルコンピュータで構成している。なお、景品管理端末機５００の操作部５０２をＰＯＳ装置３００と同様に表示部５０３の画面上に配置するタッチパネル式とすることにより、より操作性を向上させることができる。
【００６１】
図１４は、景品顧客管理端末機６００の外観を示し、図１５は景品顧客管理端末機６００の回路構成を示している。景品顧客管理端末機６００は、ポイントカードの各所有者ごとに、そのポイント数等を記憶し管理する機能を有するものである。景品顧客管理端末機６００は、本体部６０１と、各種操作（演算加工、出力等）を行うための操作部６０２と、表示部（ＣＲＴ）６０３とを備えている。また景品顧客管理端末機６００には、表示部６０３に表示されているデータを印刷出力するためのプリンタ６１０と通信装置としてのモデム６２０とが接続されている。
【００６２】
景品顧客管理端末機６００は、ＣＰＵ６０４を中心に構成され、ポイント数等を記憶するためのポイント情報記憶部６０５と、Ｉ／Ｆ６０６、６０７とを備えている。
【００６３】
景品顧客管理端末機６００は、ＰＯＳ装置３００及び遊技媒体貸出装置２００からのポイントカード情報をＩ／Ｆ６０６を介して受信し、ＣＰＵ６０４で加工演算し、ポイント情報記憶部６０５に記憶するようになっている。またポイント情報記憶部６０５に記憶されたポイント情報は、表示部６０３に表示されるとともに、プリンタ６１０で印刷することが可能である。なお、景品顧客管理端末機６００では、表示部６０３と操作部６０２とをそれぞれ独立に分けて設けたが、ＰＯＳ装置３００と同様にタッチパネル式にすることで、より操作性を向上させることができる。
【００６４】
図１６は、景品顧客管理端末機６００の有する表示部６０３上に表示される顧客情報表示画面６３０を示している。景品顧客管理端末機６００は、顧客毎（ポイントカード上に予め付されているＩＤ番号毎）にポイント数等を記憶管理する機能を有している。顧客情報表示画面６３０上には、以下の各項目が表示される。カードＩＤの欄６３１は、ポイントカードごとに予め付されているＩＤ番号が表示される。コ・売上金額の欄６３２には、コンビニエンスストア２０での売上げ金額が、遊・貸出金額の欄６３３には遊技場１０に配置された遊技媒体貸出装置２００に投入された金額がそれぞれ表示される。
【００６５】
コ・ポイントの欄６３４には、コンビニポイント数が、遊・ポイントの欄６３５には遊技場ポイント数が、総ポイントの欄６３６には、コンビニポイント数と遊技場ポイント数の合計がそれぞれ表示される。遊・ポイント使用数の欄６３８には、遊技場ポイント数のうちの使用ポイント数が、コ・ポイント使用数の欄６３７には、コンビニポイント数のうちの使用ポイント数がそれぞれ表示される。
【００６６】
顧客情報表示画面６３０からは、遊技場ポイントを貯める顧客とコンビニポイントを貯める顧客等に分かれる場合が存在するなど、各顧客の利用状況を把握することができる。例えばカードＩＤが「００２」の顧客６４１はコンビニポイント数が「２」に対して遊技場ポイント数が「３５」であり、この顧客６４１は主に遊技を中心に行っている傾向があることがわかる。またこの顧客６４１は、遊技場ポイント使用数が「２０」であるため、遊技場ポイントを貯めて、コンビニで割引処理を行っているか、景品贈呈のサービスを受けている傾向があると考えられる。
【００６７】
また、カードＩＤが「００３」の顧客６４２はコンビニポイント数が「２０」に対して遊技場ポイント数が「３」であり、この顧客６４２は主にコンビニを中心に買い物を行っている傾向があることがわかると共に、コンビニポイント使用数が「３０」であるため、コンビニポイントを使用してパチンコ玉の貸出を受けているか、景品贈呈のサービスを受けている傾向があると考えられる。
【００６８】
次に、作用を説明する。  
図１７は、遊技場１０でコンビニポイントを使用する際と遊技場ポイントを付与する際における処理の流れを示している。顧客が遊技場１０に来店し、ポイントカードを所持していない場合は（ステップＳ１００１；Ｎ）、パチンコ機１００の隣に設置されている遊技媒体貸出装置２００に現金が投入され（ステップＳ１００２）、遊技が開始され（ステップＳ１００３、Ｓ１００４）、その後遊技が終了する（ステップＳ１００５；Ｙ）。
【００６９】
顧客がポイントカードを所持している場合は遊技媒体貸出装置２００にポイントカードが挿入され（ステップＳ１００１；Ｙ）、そのＩＤ番号に対応付けて登録されているコンビニポイント数が所定条件を満たしているか否か（貸出ポイントの有無）を判別する（ステップＳ１００６）。
【００７０】
貸出ポイント数がある場合は（ステップＳ１００６；Ｙ）、貸出ポイントを使用するか否かを判別し（ステップＳ１００７）、使用しない場合は（ステップＳ１００７；Ｎ）、現金が投入される（ステップＳ１００８）。また、貸出ポイントを使用する場合は（ステップＳ１００７；Ｙ）、ポイント数に見合うパチンコ玉が放出され（ステップＳ１００９）、コンビニポイント数がその分減算されて（ステップＳ１０１０）、遊技が行われる（ステップＳ１０１１）。
【００７１】
また、貸出ポイントが無い場合（ステップＳ１００６；Ｎ）及び貸出ポイントを使用しない場合には（ステップＳ１００７；Ｎ）、投入された現金（ステップＳ１００８）の金額を貸出金額（図１６の遊・貸出金額の欄６３３）に加算し（ステップＳ１０１２）、貸出金額が所定金額以上あるか否かを判別し（ステップＳ１０１３）、所定金額未満の場合は（ステップＳ１０１３；Ｎ）、投入金額分のパチンコ玉が貸出され（ステップＳ１０１５）、所定金額以上の場合は（ステップＳ１０１３；Ｙ）、遊技場ポイント数が加算されるとともに（ステップＳ１０１４）、投入金額分のパチンコ玉が貸出される（ステップＳ１０１５）。
【００７２】
この貸出されたパチンコ玉を使用して遊技が開始される（ステップＳ１０１１）。遊技中は、パチンコ玉があるか否かを判別し（ステップＳ１０１６）、パチンコ玉がある場合は（ステップＳ１０１６；Ｙ）遊技中を継続し、パチンコ玉がない場合は（ステップＳ１０１６；Ｎ）、遊技を終了するか否かの判別に移る（ステップＳ１０１７）。遊技が終了される場合は（ステップＳ１０１７；Ｙ）、カードが排出されて（ステップＳ１０１８）遊技が終了し、遊技を終了しない場合は（ステップＳ１０１７；Ｎ）、貸出ポイントが有るか否かの判別（ステップＳ１００６）に戻る。
【００７３】
このように、遊技場１０でパチンコ玉の貸し出しを受けた場合には、その分、遊技場ポイントが累積加算されるとともに、コンビニポイントを利用してパチンコ玉の貸し出しを受けることができる。
【００７４】
図１８は、コンビニエンスストア２０で遊技場ポイントを使用する際とコンビニポイントを付与する際における処理の流れを示している。顧客は、コンビニエンスストア２０に来店し、先ず商品を選択し（ステップＳ１１０１）、選択された商品に付されている商品データをＰＯＳ装置３００のスキャナー３３０で読取らせる（ステップＳ１１０２）。これによりＰＯＳ装置３００は、その金額を算出するとともに、これを表示部３１１に表示する（ステップＳ１１０３）。
【００７５】
顧客がポイントカードを所持していない場合は（ステップＳ１１０４；Ｎ）、表示金額を顧客から受け取り、商品が引き渡されて（ステップＳ１１０５）コンビニエンスストア２０での買い物が終了する。一方、ポイントカードを所持している場合は（ステップＳ１１０４；Ｙ）、遊技場ポイント数が所定条件を満たしているか否か（割引ポイントの有無）を判別する（ステップＳ１１０６）。
【００７６】
割引ポイントがある場合は（ステップＳ１１０６；Ｙ）、割引処理を実行するか否かを判別し（ステップＳ１１０７）、実行する場合（ステップＳ１１０７；Ｙ）は割引後の金額が算出されて表示され（ステップＳ１１０８）、使用された遊技場ポイントが減算される（ステップＳ１１０９）。その後、ＰＯＳ装置本体部３１０の表示部３１１に表示された金額の現金を顧客から受け取り、ポイントカードを排出し（ステップＳ１１１０）、商品が引き渡される（ステップＳ１１０５）。
【００７７】
また、割引ポイントがない場合（ステップＳ１１０６；Ｎ）及び割引処理を実行しない場合は（ステップＳ１１０７；Ｎ）、算出された金額を売上金額（図１６のコ・売上金額の欄６３２）に加算し（ステップＳ１１１１）、売上金額が所定金額以上あるか否かの判別に移る（ステップＳ１１１２）。
【００７８】
売上金額が所定金額未満である場合は（ステップＳ１１１２；Ｎ）、表示金額を受け取り、ポイントカードが排出され（ステップＳ１１１０）、商品が引き渡される（ステップＳ１１０５）。一方、売上金額が所定金額以上ある場合は（ステップＳ１１１２；Ｙ）、コンビニポイントが加算され（ステップＳ１１１３）、表示金額を受け取り、ポイントカードが排出され（ステップＳ１１１０）、商品が引き渡されて（ステップＳ１１０５）、コンビニエンスストア２０での買い物が終了する。
【００７９】
このように、コンビニエンスストア２０で商品を購入した場合には、その分、コンビニポイントが累積加算されるとともに、遊技場ポイントを利用して商品の購入金額の割引を受けることができる。
【００８０】
図１９は、コンビニポイント数と遊技場ポイント数を合算させることにより、所定金額の景品の贈呈を受けるサービスについての処理の流れを示している。先ず、顧客が景品交換所３０に出向き、ポイントカードを挿入する（ステップＳ１２０１）。
【００８１】
このカードをＰＯＳ装置３００のスキャナー３３０で読取り、コンビニポイント数、遊技場ポイント数、総ポイント数を演算すると共に（ステップＳ１２０２）、贈呈し得る景品金額が算出され、表示部に表示される（ステップＳ１２０３）。顧客は、この表示された金額の景品を受けるか否かを選択する（ステップＳ１２０４）。景品を受け取らない場合は（ステップＳ１２０４；Ｎ）、ポイントカードが排出されて（ステップＳ１２０７）景品贈呈作業が終了する。
【００８２】
表示された金額の景品を受け取る場合は（ステップＳ１２０４；Ｙ）、コンビニポイント数と遊技場ポイント数のどちらをどれだけ使用するかを顧客が選択し、選択されたコンビニポイント数及び遊技場ポイント数が減算され（ステップＳ１２０５）、景品が引き渡され（ステップＳ１２０６）、ポイントカードが排出されて（ステップＳ１２０７）、景品贈呈作業が終了する。
【００８３】
このように、コンビニポイントと遊技場ポイントの合計値に応じて、景品の贈呈を受けることができるので、遊技場１０とコンビニエンスストア２０との利用頻度に差の大きい顧客や、遊技場１０とコンビニエンスストア２０のいずれか一方のみを利用する顧客に対しても、適切に利益を還元することができる。
【００８４】
本発明にかかるポイントカード装置４０では、上述のように遊技場１０で遊技を行った場合と併設されたコンビニエンスストア２０で商品を購入した場合のいずれにおいてもポイントが付与されるので、遊技場１０とコンビニエンスストア２０の双方の顧客に利益を与えることができる。
【００８５】
また遊技場１０でパチンコ玉の貸し出しを受けた場合のポイントを遊技場ポイントとし、併設されたコンビニエンスストア２０で商品を購入した際のポイントをコンビニポイントとして、それぞれ個別にポイント数を累積加算し管理するようにしたので、複合店の経営者は、遊技場１０とコンビニエンスストア２０の利用状況を各顧客ごとに把握でき、遊技場１０とコンビニエンスストア２０との営業方針を決める手助けとして有効利用することができる。また各顧客ごとに遊技場１０とコンビニエンスストア２０の利用状況を個別に把握できるので、それぞれの顧客の特性に応じたきめの細かいサービスを展開することも可能になる。
【００８６】
さらに遊技場１０でパチンコ玉の貸し出しを受けることで付与された遊技場ポイントを併設するコンビニエンスストア２０で商品購入の際に利用でき、またコンビニエンスストア２０で商品を購入した際に付与されたコンビニポイントを利用して遊技場１０でパチンコ玉の貸出しを受けることができるので、ポイント制度をコンビニエンスストア２０と遊技場１０の双方の売上げ向上に役立てることができる。すなわち、コンビニエンスストア２０に買い物に来た顧客は遊技を行いやすくなり、遊技場１０に遊技をしに来た顧客は商店で買い物を行いやすくなる。また各顧客は遊技場１０とコンビニエンスストア２０の双方を利用するようになるので、コンビニエンスストア２０の顧客から新規な遊技客を開拓することもできる。
【００８７】
また、ポイントカードにＩＤ番号を登録し、ポイント数等を景品顧客管理端末機６００でまとめて記憶し管理するようにしたので、各顧客の利用状況を店側で一括して管理することができ、遊技場１０とコンビニエンスストア２０との営業状態を総合的に把握して的確な経営管理を容易に行うことができる。さらに、各顧客によってポイント数のデータが改竄される等の不正行為を防止することができる。
【００８８】
またポイントカード側にはＩＤ番号のみを登録すれば良いので、ポイント数を登録する場合のように、カードの記憶内容を書き換える必要がなくまた記憶容量が少なくて済むので、ポイントカードの価格を低く抑えることができる。また識別番号に基づいて管理するので、景品顧客管理端末機６００側の処理も容易になる。
【００８９】
遊技場１０とコンビニエンスストア２０との双方からアクセスできる境界部（景品交換所３０）に、ＰＯＳ装置３００を設けたので、遊技場１０側とコンビニエンスストア２０側で１つのＰＯＳ装置３００を共通に利用することができる。また、コンビニエンスストア２０に陳列されている商品を遊技者の獲得したパチンコ玉と交換される景品として利用することで、景品倉庫を別途設ける必要が無くなり、複合店であることの利点をより一層有効活用することができる。
【００９０】
このほか、各パチンコ機１００の隣に設置された遊技媒体貸出装置２００にカード挿排口２０９や表示部２０５を設け、ポイントの加減算を行わせるようにしたので、ポイントカードを併用したパチンコ玉の貸し出しが行いやすくなり、遊技者によるポイントカードの利用を促進することができる。
【００９１】
さらに、遊技媒体貸出装置２００の表示部２０５に、コンビニポイント数、遊技場ポイント数およびコンビニポイント数によって放出可能なパチンコ玉の個数が表示されるので、遊技客は遊技を行いながら、付与されるポイント数を確認することができ、安心して遊技場ポイントを貯める喜びを味わうことができる。
【００９２】
また、情報表示端末機７００をコンビニエンスストア２０や遊技場１０の各所に配置したので、各顧客は、ポイント数やそれによって享受できるサービスを目視で容易に確認することができ、安心してポイントを貯めることができる。
【００９３】
以上説明した実施の形態では、情報表示端末機７００及び景品顧客管理端末機６００の表示画面上に表の形式で各種のデータを表示するようにしたが、グラフ化して表示しても良い。これにより、一目で各種情報をより迅速に認識できるようになる。また、情報表示端末機７００においてそのスピーカ７０６を通じて操作説明や情報開示を行うようにしても良い。
【００９４】
さらに、遊技場１０に自動換金機（顧客が獲得したパチンコ玉から自動的に現金を放出する機械）を設け、且つコンビニエンスストア２０には自動販売機を設けることにより景品交換所３０をなくし、無人化するようにしてもよい。この場合は、コンビニエンスストア２０に設置されている自動販売機にポイントカードリーダ及び演算手段を設け、ポイントカードを挿入することによりコンビニポイント数及び遊技場ポイント数、総ポイント数を演算表示し、顧客の操作により割引処理をするようになり、人件費の節約になるため利益向上につながる。
【００９５】
また、景品交換所３０に現金投入機を設置し、コンビニエンスストア２０での買い物で受け取る現金をこの現金投入機に投入するように構成してもよく、従業員等による不正を未然に防ぐことが可能になると共に、コンビニエンスストア２０での売り上げを正確に管理することができるようになる。
【００９６】
さらに総ポイントにより付与されるサービスは実施の形態に示したものに限定されず、別のサービスであってもよい。例えば、駐車場を利用する際の無料券を贈呈したりする等である。
【００９７】
また、実施の形態では、ポイントカードにＩＤ番号を登録し、景品顧客管理端末機６００側でポイント数を記憶して一括管理するようにしたが、ポイントカードに書き換え可能な記録媒体（例えば磁気テープ等）を設け、これに顧客ごとのポイント数を記録して管理するようにしてもよい。また、ポイントカードでの記録と景品顧客管理端末機６００での一括管理とを併用するようにしてもよい。
【００９８】
上述の実施の形態では、遊技機としてパチンコ機を用いたが、これに限定されるものではなく、例えば、スロットマシン等のコイン遊技機であってもよい。また、遊技媒体は、パチンコ機で利用するパチンコ玉であったが、スロットマシンなどで使用されるメダル等であってもよい。
【００９９】
また、実施の形態では、遊技媒体計数器２５０を各パチンコ機１００毎に設置するようにしたが、これに限定されず、遊技媒体計数器２５０は、遊技機島に１台あるいは遊技場１０の景品交換所に２台程度設置するようにしてもよく、遊技場に少なくとも１台設置すればよい。
【産業上の利用可能性】
【０１００】
本発明に係るポイントカード装置は、遊技場（パチンコホール）にコンビニエンスストア（商店）を併設した形態を成す複合店に特に適用することができる。
【符号の説明】
【０１０１】
１０…遊技場
１１…遊技機島
２０…コンビニエンスストア
２１…陳列棚
３０…景品交換所
４０…ポイントカード装置
１００…パチンコ機
２００…遊技媒体貸出装置
２０５…表示部
２０６…各種操作部
２０９…カード挿排口
２１３…カード識別手段
２１４…玉放出部
２１５…玉放出制御部
２５０…遊技媒体計数器
３００…ＰＯＳ装置
３１０…ＰＯＳ装置本体部
３１１…表示部
３１２…操作部
３１３…景品交換情報記憶部
３３０…スキャナー
３４０…貯玉カードリーダー
３６０…ポイント端末機
３６１…カード挿排口
３６２…表示部
３６３…操作部
３６３ａ…カード読取部
４００…通信ネットワーク
４１０…ホール管理端末機
４１２…台コントローラ
４１４…島コントローラ
４１６…ゲートウェイ装置
４２０…ホール管理コンピュータ
５００…景品管理端末機
６００…景品顧客管理端末機
７００…情報表示端末機
７０４…表示部
７０５…操作部
７０６…スピーカ
【図１】
2010118073.tif 000003
【図２】
2010118073.tif 000004
【図３】
2010118073.tif 000005
【図４】
2010118073.tif 000006
【図５】
2010118073.tif 000007
【図６】
2010118073.tif 000008
【図７】
2010118073.tif 000009
【図８】
2010118073.tif 000010
【図９】
2010118073.tif 000011
【図１０】
2010118073.tif 000012
【図１１】
2010118073.tif 000013
【図１２】
2010118073.tif 000014
【図１３】
2010118073.tif 000015
【図１４】
2010118073.tif 000016
【図１５】
2010118073.tif 000017
【図１６】
2010118073.tif 000018
【図１７】
2010118073.tif 000019
【図１８】
2010118073.tif 000020
【図１９】
2010118073.tif 000021